(57)【特許請求の範囲】
【請求項１】
利用者が所有する複数種類の電子マネー残高を示す決済サービス情報が記録された記録媒体と通信して決済を行う決済手段を有する自動販売機と、ネットワークを介して前記自動販売機へ接続されるサーバ装置とからなる自動販売システムにおいて、
前記サーバ装置は、
所定のＩＤを有する自動販売機ごとに、記録媒体に固有の識別番号と、当該記録媒体に記録された複数種類の決済サービス情報に対応する決済ブランドと、当該複数種類の決済ブランドに対する決済優先順位とを関連付けて保存する管理手段と、
自動販売機のＩＤおよび記録媒体に固有の識別番号に基づき前記管理手段を検索して、前記識別番号に対応した複数種類の決済ブランドと、当該複数種類の決済ブランドに対する決済優先順位とを得る検索手段と、
を備え、
前記自動販売機は、記録媒体が通信可能領域に位置した場合に当該記録媒体の固有の識別番号を読み取り、当該自動販売機のＩＤおよび前記識別番号を前記サーバ装置に送信し、前記サーバ装置は、前記自動販売機から受信した自動販売機のＩＤおよび識別番号に基づき前記検索手段で前記管理手段を検索して得た、当該自動販売機のＩＤおよび識別番号に対応した複数種類の決済ブランドと当該複数種類の決済ブランドに対する決済優先順位とを前記自動販売機に送信し、
前記自動販売機は、前記サーバ装置から受信した複数種類の決済ブランドと当該複数種類の決済ブランドに対する決済優先順位にしたがって、購入選択した商品の決済金額を満たす決済ブランドを用いて前記記録媒体と通信して決済し、
前記ネットワークは、入力手段を有する外部機器が接続されており、
前記外部機器は、前記入力手段を用いて作成した登録データを前記サーバ装置へ送信し、前記サーバ装置は、前記外部機器から受信した前記登録データに基づき、前記管理手段を更新する
ことを特徴とする自動販売システム。
【請求項２】
利用者が所有する複数種類の電子マネー残高を示す決済サービス情報が記録された記録媒体と通信して決済を行う決済手段を有する自動販売機と、ネットワークを介して前記自動販売機へ接続されるサーバ装置とからなる自動販売システムにおいて、
前記サーバ装置は、
所定のＩＤを有する自動販売機ごとに、記録媒体に固有の識別番号と、当該記録媒体に記録された複数種類の決済サービス情報に対応する決済ブランドと、当該複数種類の決済ブランドに対する決済優先順位とを関連付けて保存する管理手段と、
自動販売機のＩＤおよび記録媒体に固有の識別番号に基づき前記管理手段を検索して、前記識別番号に対応した複数種類の決済ブランドと、当該複数種類の決済ブランドに対する決済優先順位とを得る検索手段と、
を備え、
前記自動販売機は、
決済ブランドを選択できる決済ブランド選択手段を有し、
前記決済ブランド選択手段が選択操作された場合は、この選択された決済ブランドを用いて前記記録媒体と通信して決済を行い、
前記決済ブランド選択手段が選択操作されない場合は、通信可能領域に位置した記録媒体の固有の識別番号を読み取り、当該自動販売機のＩＤおよび前記識別番号を前記サーバ装置に送信し、
前記サーバ装置は、前記自動販売機から受信した自動販売機のＩＤおよび識別番号に基づき前記検索手段で前記管理手段を検索して得た、当該自動販売機のＩＤおよび識別番号に対応した複数種類の決済ブランドと当該複数種類の決済ブランドに対する決済優先順位とを前記自動販売機に送信し、
前記自動販売機は、前記サーバ装置から受信した複数種類の決済ブランドと当該複数種類の決済ブランドに対する決済優先順位にしたがって、購入選択した商品の決済金額を満たす決済ブランドを用いて前記記録媒体と通信して決済し、
前記ネットワークは、入力手段を有する外部機器が接続されており、
前記外部機器は、前記入力手段を用いて作成した登録データを前記サーバ装置へ送信し、前記サーバ装置は、前記外部機器から受信した前記登録データに基づき、前記管理手段を更新する
ことを特徴とする自動販売システム。
【請求項３】
前記外部機器が前記サーバ装置に接続した場合、前記サーバ装置は、登録用データを前記外部機器へ送信し、前記外部機器は、この登録用データに対して前記入力手段を用いて前記登録データを作成することを特徴とする請求項１または２に記載の自動販売システム。
【請求項４】
前記登録データは、自動販売機のＩＤと、記録媒体に固有の識別番号と、当該記録媒体に記録された複数種類の決済サービス情報に対応する決済ブランドと、当該複数種類の決済ブランドに対する決済優先順位とを含むことを特徴とする請求項１ないし３いずれかの項に記載の自動販売システム。
【発明の詳細な説明】
【技術分野】
【０００１】
本発明は、利用者が所有するＩＣカード等の記録媒体を用いて決済を行う自動販売システムまたは決済処理システム、そのためのサーバ装置、およびプログラムに関する。
【背景技術】
【０００２】
従来より、電子的な有価価値情報である電子マネー（決済サービス情報）を記録したＩＣカードや携帯端末などの記録媒体を使い、購入代金を決済する技術が知られている。電子マネーを使った決済サービスを提供する決済事業者（決済ブランド）は複数存在し、したがって決済事業者（決済ブランド）に対応した決済サービス情報も複数ある。記録媒体としては、接触型ＩＣカードや非接触ＩＣカード、非接触ＩＣカードを内在した携帯端末などがある。
【０００３】
特許文献１は、複数の決済サービス情報が記録された記録媒体と決済する決済処理装置が、複数種類の決済サービス情報に対応する決済ブランドを表示部に表示し、利用者が決済に用いる決済ブランドを選択して決済を行う技術が記載されている。
【先行技術文献】
【特許文献】
【０００４】
【特許文献１】特開２００８−９７４８号公報
【発明の概要】
【発明が解決しようとする課題】
【０００５】
しかしながら、特許文献１は、利用者が決済時に決済ブランドを選択するステップが生じ、決済に用いる決済ブランドを予め決めている利用者にとっては、余計な手間や時間がかかることになる。
本発明は、上記課題を解決するためになされたもので、記録媒体を所有する利用者が、自動販売機や決済処理装置との決済に用いる決済ブランドをサーバ装置に記憶させることで、決済処理を簡素化することを主な目的とする。
【課題を解決するための手段】
【０００６】
上記課題を解決するために、請求項１に記載の発明は、利用者が所有する複数種類の電子マネー残高を示す決済サービス情報が記録された記録媒体と通信して決済を行う決済手段を有する自動販売機と、ネットワークを介して前記自動販売機へ接続されるサーバ装置とからなる自動販売システムにおいて、前記サーバ装置は、所定のＩＤを有する自動販売機ごとに、記録媒体に固有の識別番号と、当該記録媒体に記録された複数種類の決済サービス情報に対応する決済ブランドと、当該複数種類の決済ブランドに対する決済優先順位とを関連付けて保存する管理手段と、自動販売機のＩＤおよび記録媒体に固有の識別番号に基づき前記管理手段を検索して、前記識別番号に対応した複数種類の決済ブランドと、当該複数種類の決済ブランドに対する決済優先順位とを得る検索手段と、を備え、前記自動販売機は、記録媒体が通信可能領域に位置した場合に当該記録媒体の固有の識別番号を読み取り、当該自動販売機のＩＤおよび前記識別番号を前記サーバ装置に送信し、前記サーバ装置は、前記自動販売機から受信した自動販売機のＩＤおよび識別番号に基づき前記検索手段で前記管理手段を検索して得た、当該自動販売機のＩＤおよび識別番号に対応した複数種類の決済ブランドと当該複数種類の決済ブランドに対する決済優先順位とを前記自動販売機に送信し、前記自動販売機は、前記サーバ装置から受信した複数種類の決済ブランドと当該複数種類の決済ブランドに対する決済優先順位にしたがって、購入選択した商品の決済金額を満たす決済ブランドを用いて前記記録媒体と通信して決済し、前記ネットワークは、入力手段を有する外部機器が接続されており、前記外部機器は、前記入力手段を用いて作成した登録データを前記サーバ装置へ送信し、前記サーバ装置は、前記外部機器から受信した前記登録データに基づき、前記管理手段を更新することを特徴とする。
【０００７】
請求項２に記載の発明は、利用者が所有する複数種類の電子マネー残高を示す決済サービス情報が記録された記録媒体と通信して決済を行う決済手段を有する自動販売機と、ネットワークを介して前記自動販売機へ接続されるサーバ装置とからなる自動販売システムにおいて、前記サーバ装置は、所定のＩＤを有する自動販売機ごとに、記録媒体に固有の識別番号と、当該記録媒体に記録された複数種類の決済サービス情報に対応する決済ブランドと、当該複数種類の決済ブランドに対する決済優先順位とを関連付けて保存する管理手段と、自動販売機のＩＤおよび記録媒体に固有の識別番号に基づき前記管理手段を検索して、前記識別番号に対応した複数種類の決済ブランドと、当該複数種類の決済ブランドに対する決済優先順位とを得る検索手段と、を備え、前記自動販売機は、決済ブランドを選択できる決済ブランド選択手段を有し、前記決済ブランド選択手段が選択操作された場合は、この選択された決済ブランドを用いて前記記録媒体と通信して決済を行い、前記決済ブランド選択手段が選択操作されない場合は、通信可能領域に位置した記録媒体の固有の識別番号を読み取り、当該自動販売機のＩＤおよび前記識別番号を前記サーバ装置に送信し、前記サーバ装置は、前記自動販売機から受信した自動販売機のＩＤおよび識別番号に基づき前記検索手段で前記管理手段を検索して得た、当該自動販売機のＩＤおよび識別番号に対応した複数種類の決済ブランドと当該複数種類の決済ブランドに対する決済優先順位とを前記自動販売機に送信し、前記自動販売機は、前記サーバ装置から受信した複数種類の決済ブランドと当該複数種類の決済ブランドに対する決済優先順位にしたがって、購入選択した商品の決済金額を満たす決済ブランドを用いて前記記録媒体と通信して決済し、前記ネットワークは、入力手段を有する外部機器が接続されており、前記外部機器は、前記入力手段を用いて作成した登録データを前記サーバ装置へ送信し、前記サーバ装置は、前記外部機器から受信した前記登録データに基づき、前記管理手段を更新することを特徴とする。
【０００８】
請求項３に記載の発明は、前記外部機器が前記サーバ装置に接続した場合、前記サーバ装置は、登録用データを前記外部機器へ送信し、前記外部機器は、この登録用データに対して前記入力手段を用いて前記登録データを作成することを特徴とする。
【０００９】
請求項４に記載の発明は、前記登録データは、自動販売機のＩＤと、記録媒体に固有の識別番号と、当該記録媒体に記録された複数種類の決済サービス情報に対応する決済ブランドと、当該複数種類の決済ブランドに対する決済優先順位とを含むことを特徴とする。
【発明の効果】
【００１７】
本発明によれば、自動販売機または決済処理装置との決済に用いる決済ブランドの優先順位を、利用者がサーバ装置に記憶させるので、決済処理を簡素化できる。
さらに、決済優先順位をサーバ装置に登録している場合であっても、所望の決済ブランドを選択できるようにした。この結果、スポット的にポイントサービスや割引が行われている場合に、サーバ装置に登録している決済優先順位を設定し直さなくても決済ブランドを選択できる、すなわち決済ブランド選択の自由度を高めることができる。
【図面の簡単な説明】
【００１８】
【図１】本発明のシステム構成図である。
【図２】本発明における自動販売機の決済処理部の一例を示した図である。
【図３】本発明における自動販売機の機能ブロック図である。
【図４】外部機器を使い、サーバ装置に決済ブランドと決済優先順位を登録する処理を示した図である。
【図５】外部機器がサーバ装置へ決済ブランドを登録するために、サーバ装置が外部機器へ送信する登録用データを示した図である。
【図６】サーバ装置における管理テーブルのデータ構成を示した図である。
【図７】本発明の第１の実施例における、自動販売機の販売処理を示した図である。
【図８】自動販売機での販売時におけるサーバ装置の処理を示した図である。
【図９】本発明の第２の実施例における、自動販売機の販売処理を示した図である。
【発明を実施するための形態】
【００１９】
添付図面を適宜参照しながら、本発明にかかる自動販売システムの好適な実施の形態について説明する。
図１〜３は、本発明の自動販売システムおよび自動販売機の構成を説明する図である。
図１は、本発明のシステム構成図である。
図１において、１はＬＡＮやインターネットなどのネットワーク、２は自動販売機、１０は外部機器、１００は自動販売機を管理する自販機管理センターが所有するサーバ装置である。自動販売機２は、自動販売機内に収容された商品を選択する商品選択ボタン３、硬貨投入口４、返却レバー５、決済処理部６、商品搬出口７を備える。
外部機器１０は、ネットワークを介してデータを送信する送信手段１１、ネットワークを介してデータを受信する受信手段１２、受信したデータなどを表示する表示部１３、入力部１４、種々の制御を行う制御部１５を備える。外部機器１０の例としては、ネットワークに接続可能なパーソナルコンピュータや携帯端末がある。
サーバ装置１００は、ネットワークを介してデータを送信する送信手段１０１、ネットワークを介してデータを受信する受信手段１０２、管理手段である管理テーブル１０３、管理テーブルを検索する検索部１０４、種々の制御を行う制御部１５を備える。管理テーブル１０３は、自動販売機ごとに、利用者が所有する非接触ＩＣカード８に固有の識別番号と、このカードに記憶されている複数種類の決済サービス情報に対応する決済ブランドと、これらの決済ブランドに対する決済優先順位とを関連付けて保存している。
【００２０】
図２は、利用者が所有する複数種類の電子マネー残高を示す決済サービス情報が記録された非接触ＩＣカード８と通信して決済などの処理を行う、不図示のＣＰＵやメモリを備えた決済処理部６の一例を示した図である。
利用者が投入した金額を示す投入金額部６１、利用者へ文字によるガイダンスを行ったり決済ブランドを表示したりして種々の情報を表示する表示部６２を備える。また非接触ＩＣカード８に対してデータの読み書きを行うカード読み書き部６３、自動販売機２で商品を購入時に用いる決済ブランドを手動で選択するための決済ブランド選択手段６４を備える。
決済処理部６は、上位機器である自動販売機２から決済指令を受けて、非接触ＩＣカード８との間で決済サービス情報（電子マネー）を使って決済を行う決済手段として機能する。決済手段として必要な構成は、非接触ＩＣカード８などの記録媒体と通信するためのカード読み書き部６３と、決済手段を動作させるためのＣＰＵ（不図示）や、アプリケーションプログラムや通信鍵などを記憶する各種メモリ（不図示）である。決済手段は、従来の決済端末を想定しており、たとえば特開２００８−１９９２０６号公報の図２などに示されている構成でよい。
本実施例では、利用者が所有する記録媒体を非接触ＩＣカード８としたが、接触型ＩＣカードや非接触ＩＣカードを内在した携帯端末などとしてもよい。以下、単にＩＣカードと呼ぶこともある。ＩＣカード８は、少なくともＩＣカード８に固有の識別番号と、複数種類の決済サービス情報（電子マネー価値）と、複数種類の決済サービス情報に対応した決済ブランドが記録されている。ＩＣカード８に固有の識別番号としては、たとえばＦｅｌｉｃａチップ（登録商標）の番号がある。
【００２１】
図３は、自動販売機の機能ブロック図である。
自動販売機２は、ネットワークを介してデータを送信する送信手段２１、ネットワークを介してデータを受信する受信手段２２、種々の制御を行う制御部２３、各種情報を記憶するメモリ２４を備える。
図４〜６は、ＩＣカード８を所有する利用者が、外部機器１０を使ってネットワーク１経由で、自動販売機２ごとに、決済に用いる決済ブランドおよび決済優先順位を、自動販売機を管理する自販機管理センターが有するサーバ装置１００に登録するときの処理を説明する図である。
【００２２】
図４は、利用者が外部機器１０を使って、決済に用いる決済ブランドおよび決済優先順位を、自販機管理センターが有するサーバ装置１００へ登録するときの、サーバ装置の処理フローである。
利用者は、外部機器１０にインストールされているｗｅｂブラウザなどを使ってサーバ装置１００にアクセスし、決済に用いる決済ブランドを設定したい自動販売機２を検索し、接続する。サーバ装置１００は、自動販売機が設置されるロケーションおよび自動販売機ＩＤ、各自動販売機で決済可能な決済ブランドに関する情報が記憶されている。
サーバ装置１００は、ネットワーク１経由で外部機器１０が接続したのを検知すると（ステップＳ１１０）、決済ブランドおよび決済優先順位を登録するための登録用データ９を、送信手段１０１を使って外部機器１０へ送信する（ステップＳ１２０）。
【００２３】
図５は、サーバ装置１００が外部機器１０へ送信する登録用データ９の雛形である。
９１はＩＣカードに固有の識別番号、９２は決済ブランド（電子マネー）の種別で、９３は複数ある決済ブランドを、決済時はどの順序で使用するかを示す決済優先順位である。９４は決済ブランドにおける管理番号であり、９５は各々の自動販売機に付与される自動販売機のＩＤである。９６は登録用データに入力したデータを、登録データとしてサーバ装置１００へ送信するための決定手段である。
外部機器１０は登録用データ９を受信手段１２により受信すると、表示部１３に表示し、利用者は入力部１４を使ってＩＣカード固有の識別番号９１と決済ブランドの種別９２と、決済優先順位９３と、決済ブランドにおける管理番号９４を登録用データ９に入力し、登録データを作成する。決済ブランドの種別９２は、当該自動販売機で使える種別のみを入力可能である。決済ブランドにおける管理番号９４の入力は必須ではない。
自動販売機ＩＤ９５は、サーバ装置１００で登録用データ９を呼び出したときに予め入力されている。利用者は所定事項への入力が終わると、決定手段９６を選択し、外部機器１０の送信手段１１を使って登録データをサーバ装置１００へ送信する。
ここで、再び図４に戻って説明する。サーバ装置１００の受信手段１０２は、所定時間内に外部機器１０から登録データを受信すると（ステップＳ１３０、Ｙｅｓ）、管理テーブル１０３に登録データの内容を記憶する（ステップＳ１４０）。具体的には、自動販売機ＩＤ９５ごとに、ＩＣカードＩＤ９１と、決済ブランドの種別９２と、決済優先順位とを関連付けて保存する。所定時間内に登録データを受信しない場合は、処理を中止する（ステップＳ１３０、Ｎｏ）。
ステップＳ１４０において、管理テーブル１０３に登録データの内容を記憶すると、サーバ装置１００は外部機器１０に対して登録完了を通知し（ステップＳ１５０）、処理を終了する。
このように、利用者がパーソナルコンピュータや携帯端末などの外部機器１０を利用し、サーバ装置１００に接続することで、自動販売機ＩＤごとに、決済時に利用する決済ブランドおよび決済優先順位を簡単にサーバ装置１００へ記憶できる。
【００２４】
図６は、サーバ装置１００の管理テーブル１０３に保存されているデータの一例であり、自販機ＩＤ１０３１、ＩＣカードに固有の識別番号であるカード識別番号１０３２、決済ブランド種別１０３３、決済優先順位１０３４から構成される。
自販機ＩＤ＝０００１には、カード識別番号＝１２３００１とカード識別番号＝１３４００５との、２枚のカードに関する情報が登録されている。カード識別番号＝１２３００１に関しては、決済ブランド種別＝電子マネーＡ〜電子マネーＣの３種類が登録されており、決済ブランド種別＝電子マネーＡは決済優先順位が１番に、決済ブランド種別＝電子マネーＢは決済順位が２番に、決済ブランド種別＝電子マネーＣは決済順位が３番に設定されている。  すなわち、自販機ＩＤごとにカード識別番号が登録されており、このカードに記憶されている複数種類の決済ブランド種別と決済優先順位とが、カード識別番号と対応付けて保存されている。
【００２５】
＜第１の実施例＞
図７は本発明の自動販売システムにおける第１の実施例であり、決済に用いる決済ブランドと決済優先順位がサーバ装置１００に記憶された自動販売システムにおいて、ＩＣカード８を使って決済を行うときの処理フローである。
利用者は商品選択ボタン３を押して、商品選択を行う（ステップＳ２１０）。自動販売機２は所定時間内にＩＣカード８がカード読み書き部６３に位置した（かざされた）ことを検知すると（ステップＳ２２０、Ｙｅｓ）、ＩＣカード８に固有の識別番号およびＩＣカード８に記録された複数種類の決済ブランド種別および決済サービス情報（電子マネーの残高）を読む。そして、送信手段２１が自販機管理センターのサーバ装置１００へ、自動販売機ＩＤおよびＩＣカード８の識別番号を送信する（ステップＳ２３０）。ステップＳ１１で商品が選択されてから、自動販売機２が所定時間内にＩＣカード８を検知しなかった場合（ステップＳ２２０、Ｎｏ）は、処理を中止する。
なお、この実施例では、商品選択後にＩＣカード８を自動販売機２にかざす処理フローとして説明したが、この処理は入れ替えてもよい。すなわち、ＩＣカード８を自動販売機２にかざした後に、商品選択する処理フローとしてもよい。
【００２６】
図８は、自販機管理センターが有するサーバ装置１００の処理フローである。
サーバ装置１００の受信手段１０２が、自動販売機２から自動販売機ＩＤおよびＩＣカード８固有の識別番号を受信したら（ステップＳ３１０）、この自動販売機ＩＤおよびＩＣカード識別番号をキーにして、検索部１０４が管理テーブル１０３を検索する（ステップＳ３２０）。そして、検索結果であるＩＣカード８の識別番号に関連付けられた複数種類の決済サービス情報に対応する決済ブランドと、これら決済ブランドに対する決済優先順位とを、送信手段１０１が自動販売機２へ送信する（ステップＳ３３０）。
再び図７に戻って、自動販売機２の受信手段２２が、サーバ装置１００から自動販売機ＩＤおよびＩＣカード８に関連付けられた決済ブランドの種別と決済優先順位とを受信する（ステップＳ２４０）。自動販売機２は、受信した情報に決済優先順位が登録されていなかった場合（ステップＳ２５０、Ｎｏ）は、販売不可とする。
自動販売機２は、受信した情報に決済優先順位が登録されていた場合（ステップＳ２５０、Ｙｅｓ）、ステップＳ２１０で選択した商品の価格と、サーバ装置１００から受信した複数種類の決済ブランドに関する決済サービス情報（ステップＳ２２０で得られる電子マネーの残高）とを比較する（ステップＳ２６０）。そして、電子マネー残高の方が大きい決済サービス情報があった場合は（ステップＳ２６０、Ｙｅｓ）、最も優先順位が高い決済サービス情報の決済ブランドを使って決済を行う（ステップＳ２７０）。自動販売機２の制御部２３が決済を指示し、決済処理部６のＣＰＵ（不図示）が決済処理を行う。このとき、自動販売機２の制御部２３は、どの決済ブランドを用いて決済したかを表示部６２に表示させる。
ステップＳ２１０で選択した商品の価格と比較して、電子マネー残高の方が大きい決済サービス情報がなかった場合は（ステップＳ２６０、Ｎｏ）、販売不可と判断する。ステップＳ２７０で決済処理を完了したら、選択した商品を搬出し（ステップＳ２８０）、販売動作を終了する。
このように、自動販売機での決済に用いる決済ブランドの決済優先順位を、利用者がサーバ装置に記憶させるので、決済ブランドの選択にかかる処理、すなわち決済処理を簡素化できる。
なお、本発明は、複数の自動販売機２のそれぞれに対して、サーバ装置１００へ決済に用いる決済ブランドを設定できるため、自動販売機ごとに異なる販売促進を行う場合に優れた効果を得られる。すなわち、自動販売機２Ａで優遇される決済ブランドと、自動販売機２Ｂで優遇される決済ブランドが異なる場合でも、それぞれの自動販売機に適切な決済ブランドをサーバ装置１００に設定することで、より多くの優遇を享受することが可能となる。優遇内容は、たとえばポイント還元やクーポン配信、プライスダウンなどがある。
【００２７】
＜第２の実施例＞
上述の例では、サーバ装置に設定した決済優先順位にしたがって決済を行ったが、決済優先順位の情報を使わずに、所望の決済ブランドを選択して決済する例を、本発明の自動販売システムにおける第２の実施例として図９に示す。
第２の実施例である図９が第１の実施例である図７と異なる点は、図９に点線で示した処理が増えたことである。図７のステップＳ２１０・Ｓ２２０は図９のステップＳ４１０・４２０と、図７のステップＳ２３０〜Ｓ２８０は、図９のステップＳ４３０〜Ｓ４８０の処理に対応するので、詳細な説明は割愛する。
ステップＳ４２０でＩＣカード８が検知されてから所定時間内に、自動販売機２の決済ブランド６４が操作されない場合（ステップＳ４２５、Ｎｏ）はステップＳ４３０へ進む。そして、第１の実施例と同様に、自販機管理センターのサーバ装置１００に保存されている決済優先順位に基づき決済を行う。
ステップＳ４２０でＩＣカード８が検知されてから所定時間内に、自動販売機２の決済ブランド６４が操作された場合（ステップＳ４２５、Ｙｅｓ）は、ステップＳ５００へ進む。選択した決済ブランドの電子マネー残高が商品価格より大きい場合は（ステップＳ５００、Ｙｅｓ）、決済処理し（ステップＳ４７０）、商品を搬出（ステップＳ４８０）して販売処理を終了する。選択した決済ブランドの電子マネー残高が商品価格より小さい場合は（ステップＳ５００、Ｎｏ）、販売不可と判断する。
なお、この実施例では、商品選択後にＩＣカード８を自動販売機２にかざし、決済ブランド選択手段６４が操作されたかを判断する処理フローとして説明したが、処理フローはこの実施形態に限定されない。たとえば、ＩＣカード８を自動販売機２にかざした後に、購入したい商品を選択し、決済ブランド選択手段６４が操作の有無を判断する処理フローとしてもよい。また、決済ブランド選択手段６４が操作の有無を判断した後に、商品を選択し、ＩＣカード８を自動販売機２にかざしてもよい。要点は、決済ブランド選択手段６４が操作の有無を判断するステップを設け、この有無により以降の処理を分岐することである。
【００２８】
このように、本実施例の発明によれば、決済優先順位をサーバ装置１００に登録している場合であっても、決済ブランド選択手段６４で所望の決済ブランドを選択できるようにした。この結果、期間限定などスポット的にポイントサービスや割引が行われている場合に、サーバ装置１００に登録している決済優先順位を設定し直さなくても決済ブランドを選択できる、すなわち決済ブランド選択の自由度を高めることができる。
なお、決済ブランドには、プリペイド型とポストペイ型があるが、ポストペイ型の場合は上述した処理と異なってもよい。たとえば、ＩＣカード８に記録されている決済ブランドが複数あり、優先順位の１位にポストペイ型の決済ブランドが設定されている場合は、このポストペイ型の決済ブランドで決済を行う。
さらに、ＩＣカード８に記録されている決済ブランドが複数あり、優先順位の１位にプリペイド型、２位にポストペイ型の決済ブランドが設定されている場合は、優先順位が１位であるプリペイド型の決済ブランドの残高が不足していれば、２位のポストペイ型の決済ブランドで決済を行う。
以上の実施例の説明では、自動販売システムを例にあげたが、本発明はこの実施形態に限定されない。本発明は決済処理部６を自動販売機２に組み込んだ形としたが、たとえば、決済処理部６とPOSレジとを組み合わせた決済処理システムにも適用できる。
【符号の説明】
【００２９】
１        ネットワーク
２        自動販売機
３        商品選択ボタン
４        硬貨投入口
５        返却レバー
６        決済処理部
７        商品搬出口
８        非接触ＩＣカード
９        登録用データ
１０      外部機器
１３      表示部
１４      入力部
２１      送信手段
２２      受信手段
２３      制御部
２４      メモリ
６１      投入金額部
６２      表示部
６３      カード読み書き部
６４      決済ブランド選択手段
９１      ＩＣカード固有の識別番号
９２      決済ブランドの種別
９３      決済優先順位
９４      決済ブランド管理番号
９５      自動販売機番号（ＩＤ）
９６      決定手段
１００    サーバ装置
１０３    管理テーブル
１０４    検索部
１０３１  自販機ＩＤ
１０３２  カード識別番号
１０３３  決済ブランド種別
１０３４  決済優先順位
【図１】
0005471057.tif 000002
【図２】
0005471057.tif 000003
【図３】
0005471057.tif 000004
【図４】
0005471057.tif 000005
【図５】
0005471057.tif 000006
【図６】
0005471057.tif 000007
【図７】
0005471057.tif 000008
【図８】
0005471057.tif 000009
【図９】
0005471057.tif 000010